(57)【特許請求の範囲】
【請求項１】
無線通信を行う無線通信装置において，
ベースバンド信号のレベルを調整するベースバンド信号レベル変換部と，
前記ベースバンド信号レベル変換部で調整されたベースバンド信号を高周波出力信号に変調する変調部と，
前記高周波出力信号を増幅する可変ゲインアンプと，
検出された前記無線通信装置の内部温度及び前記高周波出力信号の周波数に応じて送信レベル設定値に対する総補正量を求め，前記総補正量から基準値未満の微調補正量と前記基準値以上の粗調補正量とを求め，前記送信レベル設定値に前記粗調補正量を加算した補正送信レベル設定値に基づいて前記可変ゲインアンプのゲイン設定値を求めるとともに，前記微調補正量に基づいて前記ベースバンド信号のレベル補正量を求める補正演算部と，
を有し，
前記レベル補正量に基づいて前記ベースバンド信号のレベルを調整し，前記ゲイン設定値に基づいて前記可変ゲインアンプのゲインを制御し，
前記補正演算部は，前記検出された内部温度及び予め求められている温度補正係数に基づいて，前記送信レベル設定値に対する温度補正量を求め，さらに，前記高周波出力信号の周波数及び予め求められている周波数補正係数に基づいて，前記送信レベル設定値に対する周波数補正量を求め，該温度補正量と該周波数補正量との合計から前記総補正量を求めることを特徴とする無線送信装置。
【請求項２】
前記周波数補正係数は，前記高周波出力信号の周波数の周波数設定範囲に応じて設定され，
前記補正演算部は，前記高周波出力信号の周波数に基づいて前記周波数補正係数を変更することを特徴とする請求項１に記載の無線送信装置。
【発明の詳細な説明】
【技術分野】
【０００１】
本発明は，無線送信装置に関する。
【背景技術】
【０００２】
無線送信装置は，携帯電話や携帯情報端末などに搭載される。これらは小型化および高密度化に伴い送信動作中の無線送信装置内の温度上昇により送信電力が低下するという問題がある。すなわち，送信装置の最終段にはパワーアンプが設けられ，パワーアンプにより増幅された送信信号がアンテナから送出される。このパワーアンプの送信電力が温度上昇により低下する。
【０００３】
一方，無線送信装置は，例えば基地局側から送信電力情報を受信し，その指定された送信電力で送信を行うことが要求されている。その場合，温度上昇により送信電力が低下することは基地局との適切な通信に支障をきたすことになる。
【０００４】
そこで，送信装置に最終段に可変ゲインアンプを設け，内部温度に応じて可変ゲインアンプのゲインを可変制御することが提案されている。また，送信電力を一定に保つようにした技術が知られている。
【先行技術文献】
【特許文献】
【０００５】
【特許文献１】特開２００３−２９８４２９号公報
【特許文献２】特開２００５−２２９５３５号公報
【特許文献３】特開平０８−１９１２２４号公報
【発明の概要】
【発明が解決しようとする課題】
【０００６】
しかしながら，パワーアンプの温度変動による送信電力変動を前段の可変ゲインアンプで補おうとすると送信電力のダイナミックレンジ精度が得られない。また，時間と共に変動する送信電力に追従させることは制御方法が複雑で送信電力のリニアリティを保つことが非常に困難になる。可変ゲインアンプのゲインを可変制御して出力電力を補正する方法では，分解能を高くして微少な電力調整を可能にするためには，可変ゲインアンプの回路規模を増大しなければならない。たとえば，複数の増幅トランジスタを並列に設けゲイン制御信号に応じて増幅トランジスタを選択する構成の可変ゲインアンプの場合，ゲインの分解能を高くするためには増幅トランジスタの数を増やすことが望まれる。
【０００７】
一方，可変ゲインアンプの入力レベルを補正する方法もあるが，入力レベルをむやみに大きくすると，可変ゲインアンプのダイナミックレンジを越えることになり，出力電力のリニアリティを保つことが困難になる。そのため，入力レベルを補正する方法では，送信電力を一定にできる温度範囲が限定的になる。
【０００８】
そこで，本発明の目的は，広い温度変化に対しても送信電力を一定に保持させた上でリニアリティを保つ無線送信装置を提供することにある。
【課題を解決するための手段】
【０００９】
無線送信装置の第１の側面は，ベースバンド信号のレベルを調整するベースバンド信号レベル変換部と，ベースバンド信号レベル変換部で調整されたベースバンド信号を高周波出力信号に変調する変調部と，高周波出力信号を増幅する可変ゲインアンプとを有する高周波回路部と，検出された無線送信装置の内部温度に応じて送信レベル設定値に対する総補正量を求め，総補正量から基準値未満の微調補正量と基準値以上の粗調補正量とを求め，送信レベル設定値に粗調補正量を加算した補正送信レベル設定値に基づいて可変ゲインアンプのゲイン設定値を求めるとともに，微調補正量に基づいてベースバンド信号のレベル補正量を求める補正演算部とを有し，レベル補正量に基づいてベースバンド信号のレベルを調整し，ゲイン設定値に基づいて可変ゲインアンプのゲインを制御する。
【００１０】
無線送信装置の第２の側面は，ベースバンド信号のレベルを調整するベースバンド信号レベル変換部と，ベースバンド信号レベル変換部で調整されたベースバンド信号を高周波出力信号に変調する変調部と，高周波出力信号を増幅する可変ゲインアンプとを有する高周波回路部と，検出された無線通信装置の内部温度及び高周波出力信号の周波数に応じて送信レベル設定値に対する総補正量を求め，総補正量から基準値未満の微調補正量と基準値以上の粗調補正量とを求め，送信レベル設定値に粗調補正量を加算した補正送信レベル設定値に基づいて可変ゲインアンプのゲイン設定値を求めるとともに，微調補正量に基づいてベースバンド信号のレベル補正量を求める補正演算部とを有し，レベル補正量に基づいてベースバンド信号のレベルを調整し，ゲイン設定値に基づいて可変ゲインアンプのゲインを制御する。
【発明の効果】
【００１１】
第１の側面によれば，小さい回路規模で温度変化に対して一定の送信電力を生成する無線送信装置を提供できる。
【００１２】
第２の側面によれば，小さい回路規模で温度変化及び周波数変化に対して一定の送信電力を生成する無線送信装置を提供できる。
【図面の簡単な説明】
【００１３】
【図１】第一の実施の形態における無線通信装置の構成図である。
【図２】可変ゲインアンプのゲイン設定値と送信装置の出力電力との関係例を示す図である。
【図３】図２のゲイン設定値と出力電力の関係例に伴う補正を説明する図である。
【図４】温度に対する出力電力の変化の測定例を示す図である。
【図５】ベースバンド信号レベル変換部の構成と特性を示す図である。
【図６】第一の実施の形態における補正演算部１４による補正演算と，ベースバンド処理部１０等による出力電力の補正制御とを示すフローチャート図である。
【図７】総補正量C1と検出温度Tsensorとの関係を示す図である。
【図８】微調補正量FCと検出温度Tsensorとの関係を示す図である。
【図９】粗調補正量RCと検出温度Tsensorとの関係を示す図である。
【図１０】補正送信レベル設定値Pset2と検出温度Tsensorとの関係を示す図である。
【図１１】変換テーブル１，２，３の例を示す図である。
【図１２】高周波回路内の可変ゲインアンプにて粗調補正量だけ出力電力を補正した場合の出力電力TXpowerを示す図である。
【図１３】高周波回路内の可変ゲインアンプにて粗調補正量を補正し，ベースバンド信号レベル変換部にて微調補正量を補正した場合の出力電力TXpowerを示す図である。
【図１４】送信信号の周波数に対する出力電力の変化を示す図である。
【図１５】第二の実施の形態の無線送信装置の構成図である。
【図１６】周波数補正量Cfの算出方法を説明する図である。
【図１７】周波数補正量Cfの算出に使用するパラメータの例を示す図である。
【図１８】第二の実施の形態における補正演算部１４による総補正量C2の算出，及び求められた総補正量C2による出力電力の補正制御とを示すフローチャートである。
【図１９】総補正量C2と検出温度Tsensorとの関係を示す図である。
【図２０】微調補正量FCと検出温度Tsensorとの関係を示す図である。
【図２１】粗調補正量RCと検出温度Tsensorとの関係を示す図である。
【図２２】補正送信レベル設定値Pset2と検出温度Tsensorとの関係を示す図である。
【図２３】第二の実施の形態における補正制御を行った場合の周波数に対する出力電力TXpowerを示す図である。
【発明を実施するための形態】
【００１４】
［第一の実施の形態］
図１は，第一の実施の形態における無線通信装置の構成図である。無線通信装置は，ベースバンド信号を生成するベースバンド処理部１０と，ベースバンド信号から高周波の送信信号を生成する高周波回路部２０と，高周波送信信号を空気中に送出するアンテナとを有する。
【００１５】
ベースバンド処理部１０では，図示しないデジタル信号処理回路により生成されたベースバンド信号BBinをデジタルアナログ変換器ＤＡＣによりアナログ信号に変換し，ベースバンド信号レベル変換部１３がその信号のレベル（振幅）を補正ベースバンドレベル設定値BBset2にしたがって調整し，レベル調整されたベースバンド信号BBoutを出力する。また，高周波回路部２０は，調整されたベースバンド信号BBoutをローカル周波数信号ＦＬにより直交変調する直交変調回路ＱＭＯＤと，変調された高周波信号をゲイン設定信号Vvgaに対応するゲインで増幅する可変ゲインアンプＶＧＡと，その出力を増幅するパワーアンプＰＡとを有する。
【００１６】
ベースバンド処理部１０には，無線装置内の温度に応じて総補正量C1を求め，総補正量C1から基準値未満の微調補正量FCと基準値以上の粗調補正量RCとを求める補正演算部１４を有する。さらに，補正演算部１４は，送信レベル設定値Psetに粗調補正量RCを加算した補正送信レベル設定値Pset2に基づいて可変ゲインアンプのゲイン設定値Gvgaを求めるとともに，微調補正量FCに基づいてベースバンドレベル補正量Cbbを求める。この補正演算部１４には，変換テーブル１，２，３も含まれるものとする。
【００１７】
これにより，温度変化に応じてパワーアンプの出力電力が低下しても，低下分に対応する総補正量のうち微調補正量についてベースバンド信号レベル変換部１３がレベル調整を行い，相補正量から微調補正量を減じた粗調補正量について可変ゲインアンプVGAがレベル調整を行う。これにより可変ゲインアンプVGAのゲインの分解能を少なくして回路構成を小さくすることができるとともに，可変ゲインアンプVGAで対応できない微少な補正量をベースバンド信号レベル変換部１３により調整することができる。
【００１８】
図２は，可変ゲインアンプのゲイン設定値と送信装置の出力電力との関係例を示す図である。図１に示した送信装置において，ゲイン設定値Gvgaを変化させたときのパワーアンプPAの出力電力を測定した結果例である。ゲイン設定値Gvgaを増加させることで可変ゲインアンプVGAのゲインが増大し，得られる出力電力が増大する。ただし，実線で示された検出温度が３０℃の場合と破線で示された検出温度が４０℃の場合とでは，出力電力が異なり，検出温度が基準温度３０℃より高い４０℃の場合は，出力電力が低下している。
【００１９】
図３は，図２のゲイン設定値と出力電力の関係例に伴う補正を説明する図である。図３中の表４０は，アンテナから送信すべき電力を示す送信レベル設定値と，その送信レベル設定値を図１の変換テーブル１により変換されたVGAのゲイン設定値Gvgaと，それに対応する検出温度が３０℃のときの出力電力との関係を示している。VGAゲイン設定値Gvgaと出力電力との関係は，図２の実線と同じである。このように送信レベル設定値（ｄBm）の増減に応じてVGAゲイン設定値Gvga（１６進，HEX）も増減し，それに伴って出力電力も増減している。検出温度３０℃は基準温度であり，変換テーブル１の変換特性は，この基準温度のときに出力電力が送信レベル設定値とほぼ一致するように設計されている。
【００２０】
また，送信レベル設定値の可変ステップ幅は図示されるとおり1.0dB単位である。
【００２１】
一方，装置内の温度が４０℃に上昇すると，パワーアンプPAの増幅率が低下し，図３の表４１に示されるとおり，同じVGAゲイン設定値Gvgaでも得られる出力電力が低下する。例えば，送信レベル設定値が21.0ｄBmの場合のゲイン設定値Gvga=ECに対して，温度が３０℃の基準温度なら出力電力は21.3ｄBmとほぼ送信レベル設定値の21.0ｄBmと同等のパワーを得ることができたが，温度が４０℃に上昇すると出力電力は19.0ｄBmに減少している。
【００２２】
そこで，送信レベル設定値の21.0ｄBmを補正して23.0ｄBmにすることで，温度が４０℃の場合でも出力電力21.2ｄBmが得られるようにすることが望まれる。
【００２３】
図４は，温度に対する出力電力の変化の測定例を示す図である。実線が実測値であり，破線がその近似直線である。図４に示されるとおり，あるパワーアンプの特性を測定したところ，ある入力信号に対して温度が上昇すると出力電力がほぼ一次関数で低下している。実線の実測値に近似する破線の近似直線によれば，その傾きは-0.2dB/℃である。したがって，この場合は，基準温度Tbase（＝３０℃）に対する測定温度Tdの差分温度dT（＝Td-Tbase，（℃））に対して，補正すべき量は，0.2×dT（dB）になることが理解できる。すなわち，0.2 dB/℃は補正係数であり，総補正量C1は次の通りである。
総補正量C1=0.2×dT＝0.2×（Td-Tbase）  （dB）                          （１）
この総補正量C1は，設定送信レベルPset(dBm)を何倍に補正すべきかを示す相対量であり，単位はｄBである。一方，設定送信レベルPsetは，1mWに対する出力電力の絶対量であり，単位はdBmである。
【００２４】
図５は，ベースバンド信号レベル変換部の構成と特性を示す図である。ベースバンド信号レベル変換部１３は，ベースバンド信号BBinを増幅してレベル調整後のベースバンド信号BBoutを出力するアンプAMPと，補正ベースバンド設定値BBset2をアンプAMPのゲインを制御するコントロール電圧Vcntに変換するデジタルアナログ変換器D/Aとを有する。アンプAMPは可変ゲインアンプであり，コントロール電圧Vcntに応じてそのゲインが可変制御され，それにより調整後のベースバンド信号BBoutの振幅が可変制御される。
【００２５】
次に，本第一の実施の形態における補正演算部による補正量演算について説明する。図１において，補正演算部１４は，例えば演算プログラムを実行するＣＰＵであり，温度検出回路３２が検出した検出温度Tsensorと，記憶部３０に予め格納されている温度補正係数ａとに基づいて，総補正量C1を求め，その総補正量C1から微調補正量FCと粗調補正量RCを求め，粗調補正量RCを送信レベル設定値Psetに加算して補正送信レベル設定値Pset2を求める。
【００２６】
図６は，第一の実施の形態における補正演算部１４による補正演算と，ベースバンド処理部１０等による出力電力の補正制御とを示すフローチャート図である。図１と図６を参照して，第一の実施の形態における出力電力の補正制御について説明する。
【００２７】
まず，送信レベル設定値Pset（dBm）が設定される（S1）。送信レベル設定値Psetは，例えば基地局との距離や通信状態などに応じて端末側が設定すべき送信レベルの情報である。図１ではこの送信レベル設定値Psetが補正演算部１４に入力される。
【００２８】
次に，補正演算部１４は，記憶部３０に格納されている基準温度Tbase（℃）と，温度補正係数ａ（dB/℃）を読み出す（S2,S3）。この温度補正係数ａは上記式（１）で説明したとおりである。
【００２９】
次に，補正演算部１４は，温度変化に応じて（S12のYES），工程S4〜S11の出力電力の補正制御を行う。補正演算部１４は温度検出回路３２が測定している検出温度Tsensor（℃）を読み出し（S4），総補正量計算部１５が総補正量C1を式（１）にしたがって求める（S5）。すなわち，以下のとおりである。
C1=a×（Tsensor−Tbase）  (dB)                （１’）
図７は，総補正量C1と検出温度Tsensorとの関係を示す図である。図７には，上記の式（１’）による総補正量C1と検出温度Tsensorと基準温度Tbaseと温度補正係数ａとの関係が示されている。検出温度Tsensorが基準温度Tbaseのときは，総補正量C1はゼロになり，検出温度Tsensorと基準温度Tbaseとの差分に応じて温度補正係数ａの一次関数で総補正量C1が増減する。
【００３０】
次に，補正演算部１４では，微調補正量計算部１６が総補正量C1のうち基準値(例えば送信レベル設定値の可変ステップ幅である1.0dB)より小さい微調補正量FCを求める（S6）。基準値を1.0dBとすると，総補正量C1の小数点以下の補正量（dB）が微調補正量FCになる。この計算は，総補正量C1を基準値1.0dBで除算して得た余りを微調補正量FCとして求める。さらに，粗調補正量計算部１７が総補正量C1のうち基準値以上の粗調補正量RCを求める（S7）。単純に，RC=C1-FCである。
【００３１】
図８は，微調補正量FCと検出温度Tsensorとの関係を示す図である。図７の総補正量C1のうち小数点以下の補正量が微調補正量FCとなる。つまり，微調補正量FCは，０〜1.0dBの間のいずれかの値になる。
【００３２】
図９は，粗調補正量RCと検出温度Tsensorとの関係を示す図である。図７の総補正量C1のうち小数点を切り捨てた補正量が粗調補正量RCとなる。図９に示されるとおり，粗調補正量RCは，検出温度Tsensorの増加に伴って1.0dB刻みの離散値になる。
【００３３】
そして，補正演算部１４では，加算器１８が理想値である送信レベル設定値Psetに粗調補正量RCを加算して，補正送信レベル設定値Pset2=Pset+RC (dBm)を求める（S8）。
【００３４】
図１０は，補正送信レベル設定値Pset2と検出温度Tsensorとの関係を示す図である。補正送信レベル設定値Pset2は，図９の粗調補正量RCに理想値である送信レベル設定値Psetを加算した離散値になる。
【００３５】
図６に戻り，ベースバンド処理部１０では，補正演算部１４が求めた補正送信レベル設定値Pset2(ｄBm)を変換テーブル１によりゲイン設定値Gvga（HEX）に変換する（S9）。この変換テーブル１は，予め実験により高周波回路部２０内の可変ゲインアンプVGAの特性に基づいて設定されている。
【００３６】
同様に，補正送信レベル設定値Pset2(dBm)を変換テーブル２によりベースバンドレベル設定値BBset（HEX）に変換する（S9）。この変換テーブル２も，予め実験によりベースバンド信号レベル変換部１３内の可変ゲインアンプAMPの特性に基づいて設定されている。
【００３７】
さらに，ベースバンド処理部１０では，微調補正量FC(dB)を変換テーブル３によりベースバンドレベル補正量Cbb（HEX）に変換する（S9）。この変換テーブル３も，予め実験によりベースバンド信号レベル変換部１３内の可変ゲインアンプAMPの特性に基づいて設定されている。
【００３８】
図１１は，変換テーブル１，２，３の例を示す図である。まず，変換テーブル１は，補正送信レベル設定値Pset2が-40dBm〜30dBmに対して，ゲイン設定値Gvgaの69〜FFが対応付けられている。期待される補正送信レベル設定値Pset2が上昇するにしたがって，ゲイン設定値Gvgaも上昇し，高周波回路部２０の可変ゲインアンプVGAのゲインが増大する。
【００３９】
変換テーブル２は，補正送信レベル設定値Pset2が-40dBm〜30dBmに対して，ベースバンドレベル設定値BBsetの10〜12が対応付けられている。すなわち，この変換テーブル３は，ベースバンド信号レベル変換部１３の特性を実験などにより求めた結果得られたものであり，補正送信レベル設定値Pset2が変化しても，ベースバンドレベル設定値BBsetは殆ど変化していない。このベースバンドレベル設定値BBsetは，ベースバンド信号レベル変換部１３内のアンプAMPの基準ゲインに対応する設定値であり，図１１のようにわずかに増加する値でもよいし，一定値（例えば10）でもよい。ただし，ベースバンド信号レベル変換部１３内のアンプAMPに非線形な特性があったり，高周波回路部２０内の可変ゲインアンプVGAに非線形な特性があったりする場合は，それらに応じて変換テーブル３が図１１のように予め設定されることが望ましい。
【００４０】
変換テーブル３は，微調補正量FCの0.0〜0.9dBに対して，ベースバンドレベル補正量Cbbの00〜09（HEX）が割り当てられている。変換テーブル３は，微調補正量FCに対してベースバンド信号レベル変換部１３内のアンプAMPのゲインを変更する補正量を求めるテーブルであり，変換テーブル２よりも大きくその変換値が変化していることが理解できる。
【００４１】
また，変換テーブル１は粗調補正量に対応するものであり，それに対して変換テーブル３は微調補正量に対応するものである。したがって，両テーブルの入力分解能は異なっている。
【００４２】
ベースバンド処理部１０では，加算器１９がベースバンド設定値BBsetにベースバンド補正量Cbbを加算して，補正ベースバンド設定値BBset2を生成する(S10)。そして，補正ベースバンド設定値BBset2が図５に示したベースバンドレベル変換部１３内のアンプAMPのコントロール電圧Vcntに変換され，ベースバンド信号BBin,BBoutのレベル調整に利用される。
【００４３】
さらに，ゲイン設定値GvgaはDACにてゲイン設定信号（電圧）Vvgaに変換され，高周波回路部２０内の可変ゲインアンプVGAに設定される（S11）。
【００４４】
以上の通り，送信レベル設定値Pset(dBm)に粗調補正量RC(dB)が加算されて補正送信レベル設定値Pset2が求められ，それに基づいて高周波回路内の可変ゲインアンプVGAのゲインが制御される。これにより，出力電力は，送信レベル設定値Psetに対応する出力電力から粗調補正量RCだけ補正される。同様に，補正送信レベル設定値Pset2から変換したベースバンドレベル設定値BBsetに微調補正量FCから変換したベースバンドレベル補正量Cbbを加算した補正ベースバンドレベル設定値BBset2が求められ，それに基づいてベースバンド信号レベル変換部１３のアンプAMPのゲインが制御される。これにより，出力電力は，さらに微調補正量FCだけ補正される。
【００４５】
図１２は，高周波回路内の可変ゲインアンプにて粗調補正量だけ出力電力を補正した場合の出力電力TXpowerを示す図である。図１２には，横軸の経過時間に対する検出温度の変化が示され，この例では，基準温度Tbaseから徐々に検出温度Tsensorが上昇し，ある温度で飽和している。このような検出温度の変化に対して，補正送信レベル設定値Pset2により高周波回路内の可変ゲインアンプVGAで出力電力を補正することで得られる出力電力TXpowerは，Pset2がPsetからPset+3.0に変化するたびに，PsetとPset-1.0に対応する電力の間で大きく変化する。
【００４６】
図１３は，本第一の実施の形態のように高周波回路内の可変ゲインアンプにて粗調補正量を補正し，ベースバンド信号レベル変換部にて微調補正量を補正した場合の出力電力TXpowerを示す図である。図１２と同様に，時間経過に対して検出温度Tsensorが上昇している。そして，ベースバンド信号レベル変換部で微調補正量分を補正しているので，出力電力TXpowerは，理想的な送信レベル設定値Psetに対する出力電力の近傍で安定的に制御されている。
【００４７】
上記の第一の実施の形態の無線送信装置によれば，小さい回路規模で温度変化に対する出力電力の変動を最小限に抑えることができる。
【００４８】
［第二の実施の形態］
次に，第二の実施の形態について説明する。第二の実施の形態では，検出した温度に加えて，送信信号の周波数に応じて，送信レベル設定値に対する総補正量C2を求め，総補正量C2から基準値未満の微調補正量FCと基準値以上の粗調補正量RCとを求める。
【００４９】
図１４は，送信信号の周波数に対する出力電力の変化を示す図である。多数の周波数の信号を送信する無線送信装置では，高周波回路部２０のパワーアンプＰＡやフィルタの周波数特性により，送信レベル設定値Psetが同一であるにもかかわらず，送信信号の周波数に応じて出力電力が変化する。そこで，第二の実施の形態では，上述の第一の実施の形態で求めた温度補正量Ct（第一の実施の形態における総補正量C1と同値）に加えて，送信信号の周波数に応じた周波数補正量Cfを求め，温度補正量Ctと周波数補正量Cfの合計値である総補正量C2により，送信レベル設定値を補正する。
【００５０】
図１５は，第二の実施の形態の無線送信装置の構成図である。図１に示した第一の実施の形態の無線送信装置との比較において，総補正量計算部１５０は，周波数補正量計算部１５１，温度補正量計算部１５２及び加算部１５３を備える。温度補正量計算部１５２は，図１に示した第一の実施の形態における総補正量計算部１５に相当し，無線送信装置内の温度に応じた温度補正量Ct（第一の実施の形態における総補正量C1と同値）を求める。第二の実施の形態の総補正量計算部１５０は，温度補正量Ctに加え，以下に説明するように，送信信号の周波数に応じた周波数補正量Cfを求め，加算部１５３により合算される温度補正量Ct及び周波数補正量Cfの合計値を総補正量C2として求める。
【００５１】
そして，第一の実施の形態と同様に，補正演算部１４の微調補正量演算部１６は，総補正量C2から基準値未満の微調補正量FCを求め，粗調補正量演算部１７は，基準値以上の粗調補正量RCを求める。さらに，補正演算部は，送信レベル設定値Psetに粗調補正量RCを加算した補正送信レベル設定値Pset2に基づいて可変ゲインアンプのゲイン設定値Gvgaを求めるとともに，微調補正量FCに基づいてベースバンドレベル補正量Cbbを求める。
【００５２】
これにより，温度変化によるパワーアンプの出力電力の低下に加えて，送信信号の周波数に応じてパワーアンプの出力電力が低下しても，低下分に対応する総補正量のうち微調補正量についてベースバンド信号レベル変換部１３がレベル調整を行い，総補正量から微調補正量を減じた粗調補正量について可変ゲインアンプVGAがレベル調整を行う。こうして，温度変化に加えて，送信周波数に応じてレベル調整を行う第二の実施の形態においても，可変ゲインアンプVGAのゲインの分解能を少なくして回路構成を小さくすることができるとともに，可変ゲインアンプVGAで対応できない微少な補正量をベースバンド信号レベル変換部１３により調整することができる。
【００５３】
次に，周波数補正量Cfの算出方法について説明する。図１６は，周波数補正量Cfの算出方法を説明する図である。周波数補正量演算部１５１が周波数補正量Cfを算出する。周波数に対する出力電力の変化分を一次関数で近似する場合，周波数補正量Cfは，次式（２）で表される。
【００５４】
周波数補正量Cf＝α×（送信周波数設定値Fset−周波数閾値Fth）＋β      （２）
αは周波数補正係数，βは周波数補正切片， 周波数閾値Fthは送信周波数設定値Fsetとの差分を求めるための基準周波数である。好ましくは，図１６に示すように，周波数帯域により出力電力の変化比率が異なるので，周波数設定範囲を複数の周波数帯域に分け，各周波数帯域ごとに周波数補正係数が設定される。
【００５５】
図１７は，周波数補正量Cfの算出に使用するパラメータの例を示す図である。図１７では，図１６の例に対応して，周波数設定範囲が４つの帯域に分けられ，記憶部３０には，各帯域の下限周波数閾値Fth1，Fth2，Fth3，Fth4が設定される。すなわち，第１の帯域は，Fth1以上Fth2未満の帯域，第２の帯域はFth2以上Fth3未満の帯域，第３の帯域はFth3以上Fth4未満の帯域，第４の帯域はFth4以上の帯域である。この場合，記憶部３０は，第１の帯域に対応する周波数補正係数α1及び周波数補正切片β1，第２の帯域に対応する周波数補正係数α2及び周波数補正切片β2，第３の帯域に対応する周波数補正係数α3及び周波数補正切片β3，第４の帯域に対応する周波数補正係数α4及び周波数補正切片β4を格納する。なお，図１６に示されるように，第一の帯域では，周波数変化に対して出力電力はほぼ一定であるので，周波数補正係数α1及び周波数補正切片β１はともにゼロに設定される。上記（２）式の演算では，送信周波数設定値Fsetが含まれる周波数帯域のα，β，Fthが用いられ，例えば，送信周波数設定値Fsetが第２の帯域内の周波数である場合，周波数補正量Cfは，
周波数補正量Cf＝α2×（送信周波数設定値Fset−周波数閾値Fth2）＋β2    （２’）
となる。
【００５６】
なお，上述では，周波数設定範囲を複数の帯域に分け，各帯域ごとに周波数変化に対する出力電力の変化分を一次関数で近似して周波数補正量Cfを求めたが，帯域を分けずに全帯域にわたって高次関数(例えば４次関数)で近似することも可能であり，周波数補正量Cfの算出式は高次関数で与えられてもよい。
【００５７】
図１８は，第二の実施の形態における補正演算部１４による総補正量C2の算出，及び求められた総補正量C2による出力電力の補正制御とを示すフローチャートである。図１６を参照しつつ，第二の実施の形態における出力電力の補正制御について説明する。
【００５８】
まず，送信周波数設定値Fset(kHz)及び送信レベル設定値Pset(dBm)が設定される（S20，S21）。送信周波数設定値Fsetは，送信信号の周波数であり，例えば基地局との通信により基地局から指定される。隣接する基地局ごとに送信周波数が異なる場合は，端末のハンドオーバごとに送信周波数が変化する。送信レベル設定値Pset(dBm)の設定は，図６のステップS1と同一処理である。
【００５９】
次に，補正演算部１４は，記憶部３０に格納されている基準温度Tbase（℃）と，温度補正係数ａ（dB/℃）を読み出す（S22,S23）。このステップS22,S23は，それぞれ図６のステップS2,3と同一処理である。
【００６０】
つづいて，補正演算部１４は，送信周波数設定値Fsetが含まれる周波数帯域に対応する周波数閾値情報Fth(kHz)，周波数補正係数α(dB/1000kHz)及び周波数補正切片β(dB)を記憶部３０より読み出し（S24,S25,S26），周波数補正量計算部151が上述の（２）式に従って，周波数補正量Cfを算出する（S27）。
【００６１】
次に，補正演算部１４は，温度変化に応じて（S37のYES），ステップS28〜S36の出力電力の補正制御を行う。補正演算部１４は温度検出回路３２が測定している検出温度Tsensor（℃）を読み出し(S28)，温度補正量計算部152が温度補正量Ctを式（１’）に従って求める（S29）。ステップS28，S29の処理は，それぞれ図６のステップS4，S5と同一処理である。そして，補正演算部１４は，周波数補正量Cfと温度補正量Ctを総補正量計算部150にて合算して，総補正量C2を求める（S30）。すなわち，総補正量C2は，次式（３）で表される。
【００６２】
総補正量C2＝温度補正量Ct＋周波数補正量Cf          （３）
図１９は，総補正量C2と検出温度Tsensorとの関係を示す図である。図７との比較において，総補正量C2は，温度に応じて変化する温度補正量Ctに，送信周波数設定値Fsetに対して求められた周波数補正量Cfが加算された値であり，検出温度Tsensorが基準温度Tbaseのとき，温度補正量Ctはゼロとなり，総補正量C2は周波数補正量Cfとなり，検出温度Tsensorと基準温度Tbaseとの差分に応じて温度補正係数ａの一次関数で総補正量C2が増減する。
【００６３】
次に，補正演算部１４は，微調補正量計算部１６が総補正量C2のうち基準値(例えば送信レベル設定値の可変ステップ幅である1.0dB)より小さい微調補正量FCを求める（S31）。基準値を1.0dBとすると，総補正量C2の小数点以下の補正量（dB）が微調補正量FCになる。この計算は，総補正量C2を基準値1.0dBで除算して得た余りを微調補正量FCとして求める。さらに，粗調補正量計算部１７が総補正量C2のうち基準値以上の粗調補正量RCを求める（S32）。ステップS31,32の処理は，それぞれ図６のステップS6，S7と同一処理である。
【００６４】
図２０は，微調補正量FCと検出温度Tsensorとの関係を示す図である。第一の実施の形態における図８と同様に，総補正量C2のうち小数点以下の補正量が微調補正量FCとなり，微調補正量は0〜1.0dBの間のいずれかの値となる。なお，基準温度Tbaseにおいては，温度補正量Ctはゼロであり，周波数補正量Cfに小数点以下の値がある場合は，図２０に示すように，基準温度Tbaseでの微調補正量は，その周波数補正量Cfの小数点以下の値となる。
【００６５】
図２１は，粗調補正量FCと検出温度Tsensorとの関係を示す図である。第一の実施の形態における図９と同様に，総補正量C2のうち小数点以下を切り捨てた補正量が粗調補正量RCとなり，粗調補正量RCは，検出温度Tsensorの増加に伴って1.0dB刻みの離散値となる。図２１では，周波数補正量Cfは1.0dB未満の値であって，基準温度Tbaseにおいては，温度補正量Ctはゼロであるため，総補正量C2も1.0ｄB未満となり，基準温度Tbaseでの粗調補正量RCがゼロである例を示す。
【００６６】
そして，補正演算部１４では，加算器１８が理想値である送信レベル設定値Psetに粗調補正量RCを加算して，補正送信レベル設定値Pset2=Pset+RC (dBm)を求める（S33）。ステップS33は，図６のステップS8と同一処理である。
【００６７】
図２２は，補正送信レベル設定値Pset2と検出温度Tsensorとの関係を示す図である。図１０と同様に，補正送信レベル設定値Pset2は，図２１の粗調補正量RCに理想値である送信レベル設定値Psetを加算した離散値になる。
【００６８】
図１８に戻り，ステップS34以降の処理は，第一の実施の形態における図６の処理のステップS9以降の処理と同様である。すなわち，ベースバンド処理部１０では，補正演算部１４が求めた補正送信レベル設定値Pset2(ｄBm)を図１１に示した変換テーブル１によりゲイン設定値Gvga（HEX）に変換する（S34）。同様に，補正送信レベル設定値Pset2(dBm)を図１１に示した変換テーブル２によりベースバンドレベル設定値BBset（HEX）に変換する（S34）。さらに，ベースバンド処理部１０では，微調補正量FC(dB)を図１１に示した変換テーブル３によりベースバンドレベル補正量Cbb（HEX）に変換する（S34）。
【００６９】
続いて，ベースバンド処理部１０では，加算器１９がベースバンド設定値BBsetにベースバンドレベル補正量Cbbを加算して，補正ベースバンド設定値BBset2を生成する(S35)。そして，補正ベースバンド設定値BBset2が図５に示したベースバンドレベル変換部１３内のアンプAMPのコントロール電圧Vcntに変換され，ベースバンド信号BBin,BBoutのレベル調整に利用される。
【００７０】
さらに，ゲイン設定値GvgaはDACにてゲイン設定信号（電圧）Vvgaに変換され，高周波回路部２０内の可変ゲインアンプVGAに設定される（S36）。
【００７１】
以上の通り，第二の実施の形態においても，第一の実施の形態と同様に，送信レベル設定値Pset(dBm)に粗調補正量RC(dB)が加算されて補正送信レベル設定値Pset2が求められ，それに基づいて高周波回路内の可変ゲインアンプVGAのゲインが制御される。これにより，出力電力は，送信レベル設定値Psetに対応する出力電力から粗調補正量RCだけ補正される。同様に，補正送信レベル設定値Pset2から変換したベースバンドレベル設定値BBsetに微調補正量FCから変換したベースバンドレベル補正量Cbbを加算した補正ベースバンドレベル設定値BBset2が求められ，それに基づいてベースバンド信号レベル変換部１３のアンプAMPのゲインが制御される。これにより，出力電力は，さらに微調補正量FCだけ補正される。これにより，第二の実施の形態においても，図１３に示したように，温度変化に対して，出力電力TXpowerは，理想的な送信レベル設定値Psetに対する出力近傍で安定的に制御されるともに，送信信号の周波数変化による出力電力の低下も抑制される。
【００７２】
図２３は，第二の実施の形態における補正制御を行った場合の周波数に対する出力電力TXpowerを示す図である。周波数補正量Cfを含む総補正量C2による補正を行うことで，出力電力TXpowerは，理想的な送信レベル設定値Psetに対する出力電力の近傍で安定的に制御され，具体的には，周波数に対する出力電力の変動幅を±0.1〜0.2dB以内に抑えることができる。
【００７３】
第二の実施の形態の無線送信装置によれば，小さい回路規模で温度変化及び周波数変化に対する出力電力の変動を最小限に抑えることができる。
【００７４】
以上説明した実施の形態の主な技術的特徴は、以下の付記の通りである。
【００７５】
(付記１)
無線通信を行う無線送信装置において、
ベースバンド信号のレベルを調整するベースバンド信号レベル変換部と，
前記ベースバンド信号レベル変換部で調整されたベースバンド信号を高周波出力信号に変調する変調部と，
前記高周波出力信号を増幅する可変ゲインアンプとを有する高周波回路部と，
検出された前記無線送信装置の内部温度に応じて送信レベル設定値に対する総補正量を求め，前記総補正量から基準値未満の微調補正量と前記基準値以上の粗調補正量とを求め，前記送信レベル設定値に前記粗調補正量を加算した補正送信レベル設定値に基づいて前記可変ゲインアンプのゲイン設定値を求めるとともに，前記微調補正量に基づいて前記ベースバンド信号のレベル補正量を求める補正演算部とを有し，
前記レベル補正量に基づいて前記ベースバンド信号のレベルを調整し，前記ゲイン設定値に基づいて前記可変ゲインアンプのゲインを制御する無線送信装置。
【００７６】
(付記２)
付記１において，
前記補正演算部は，前記検出された内部温度及び予め求められている補正量の温度補正係数に基づいて前記総補正量を求める無線送信装置。
【００７７】
(付記３)
無線通信を行う無線通信装置において，
ベースバンド信号のレベルを調整するベースバンド信号レベル変換部と，
前記ベースバンド信号レベル変換部で調整されたベースバンド信号を高周波出力信号に変調する変調部と，前記高周波出力信号を増幅する可変ゲインアンプとを有する高周波回路部と，
検出された前記無線通信装置の内部温度及び前記高周波出力信号の周波数に応じて送信レベル設定値に対する総補正量を求め，前記総補正量から基準値未満の微調補正量と前記基準値以上の粗調補正量とを求め，前記送信レベル設定値に前記粗調補正量を加算した補正送信レベル設定値に基づいて前記可変ゲインアンプのゲイン設定値を求めるとともに，前記微調補正量に基づいて前記ベースバンド信号のレベル補正量を求める補正演算部とを有し，
前記レベル補正量に基づいて前記ベースバンド信号のレベルを調整し，前記ゲイン設定値に基づいて前記可変ゲインアンプのゲインを制御する無線送信装置。
【００７８】
(付記４)
付記３において，
前記補正演算部は，前記検出された内部温度に応じて前記送信レベル設定値に対する温度補正量を求め，さらに，前記高周波出力信号の周波数に応じて前記送信レベル設定値に対する周波数補正量を求め，該温度補正量と該周波数補正量との合計から前記総補正量を求める無線送信装置。
【００７９】
(付記５)
付記４において，
前記補正演算部は，前記検出された内部温度及び予め求められている温度補正係数に基づいて，前記温度補正量を求め，前記高周波出力信号の周波数及び予め求められている周波数補正係数に基づいて，前記周波数補正量を求める無線送信装置。
【００８０】
(付記６)
付記１乃至５のいずれか１項において，
前記補正演算部は，前記補正送信レベル設定値に基づいて求められたベースバンドレベル設定値に前記ベースバンド信号のレベル補正量を加算した補正ベースバンドレベル設定値を求め，
前記ベースバンド信号レベル変換部は前記補正ベースバンドレベル設定値にしたがって前記ベースバンド信号のレベルを調整する無線送信装置。
【００８１】
(付記７)
付記１乃至６のいずれか１項において，
前記高周波回路は，さらに，前記可変ゲインアンプの出力信号を増幅するパワーアンプを有する無線送信装置。
【００８２】
(付記８)
付記１乃至７のいずれか１項において，
前記基準値が送信電力設定値の可変ステップ幅以下である無線送信装置。
【００８３】
（付記９）
無線送信装置におけるレベル調整方法において、
ベースバンド信号のレベルを調整し、
前記調整されたベースバンド信号を高周波出力信号に変調し、
前記高周波出力信号を増幅し、
検出された前記無線送信装置の内部温度に応じて送信レベル設定値に対する総補正量を算出し、
前記総補正量から基準値未満の微調補正量と前記基準値以上の粗調補正量とを求め、
前記送信レベル設定値に前記粗調補正量を加算した補正送信レベル設定値に基づいて前記可変ゲインアンプのゲイン設定値を求め、
前記微調補正量に基づいて前記ベースバンド信号のレベル補正量を求め、
前記レベル補正量に基づいて前記ベースバンド信号のレベルを調整し、
前記ゲイン設定値に基づいて前記可変ゲインアンプのゲインを制御するレベル調整方法。
【符号の説明】
【００８４】
１０：ベースバンド処理部            ２０：高周波信号回路
１３：ベースバンド信号レベル変換部  １４：補正演算部
VGA:可変ゲインアンプ                Pset:送信レベル設定値
Pset2:補正送信レベル設定値          Gvga:ゲイン設定値
C1，C2:総補正量                     FC:微調補正量
RC:粗調補正量                       Cbb:ベースバンドレベル補正量
【図１】
0005605110.tif 000002
【図２】
0005605110.tif 000003
【図３】
0005605110.tif 000004
【図４】
0005605110.tif 000005
【図５】
0005605110.tif 000006
【図６】
0005605110.tif 000007
【図７】
0005605110.tif 000008
【図８】
0005605110.tif 000009
【図９】
0005605110.tif 000010
【図１０】
0005605110.tif 000011
【図１１】
0005605110.tif 000012
【図１２】
0005605110.tif 000013
【図１３】
0005605110.tif 000014
【図１４】
0005605110.tif 000015
【図１５】
0005605110.tif 000016
【図１６】
0005605110.tif 000017
【図１７】
0005605110.tif 000018
【図１８】
0005605110.tif 000019
【図１９】
0005605110.tif 000020
【図２０】
0005605110.tif 000021
【図２１】
0005605110.tif 000022
【図２２】
0005605110.tif 000023
【図２３】
0005605110.tif 000024